(57)【要約】【課題】本発明は複数の記録媒体に跨りコンテンツを記録再生できる情報記録再生装置及び情報再生装置を提供する。【解決手段】複数の記録媒体を収納可能な情報記録再生装置において、一つのコンテンツ、連続あるいは関連した複数のコンテンツを複数の記録媒体に跨って記録するにあたり、各記録媒体間のリンク情報を記録する。リンク情報は、複数の記録媒体に記録されている一つあるいは複数のコンテンツが同一、連続あるいは関連したコンテンツであることを示すグループ名称と、同じグループ名称のコンテンツを記録する複数枚の記録媒体の最後の記録媒体であることを示すエンドコードと、同じグループ名称のコンテンツの記録順を示すディスクナンバーとを含む。【選択図】      図１
2005339734.tif 000002
【特許請求の範囲】
【請求項１】
複数の記録媒体を収納可能な情報記録再生装置において、
一つのコンテンツ、連続あるいは関連した複数のコンテンツを複数の記録媒体に跨って記録するにあたり、各記録媒体間のリンク情報を記録する手段を具備する情報記録再生装置。
【請求項２】
前記リンク情報記録手段は、各記録媒体のユーザエリアに前記リンク情報を記録する請求項１記載の情報記録再生装置。
【請求項３】
前記リンク情報記録手段は、各記録媒体のタグに前記リンク情報を記録する請求項１記載の情報記録再生装置。
【請求項４】
前記リンク情報は、複数の記録媒体に記録されている一つあるいは複数のコンテンツが同一、連続あるいは関連したコンテンツであることを示すグループ名称と、同じグループ名称のコンテンツを記録する複数枚の記録媒体の最後の記録媒体であることを示すエンドコードと、同じグループ名称のコンテンツの記録順を示すディスクナンバーとを含む請求項１記載の情報記録再生装置。
【請求項５】
複数の記録媒体を収納可能な収納部を有し、一つのコンテンツ、連続あるいは関連した複数のコンテンツを複数の記録媒体に跨って記録するにあたり、各記録媒体間のリンク情報を記録する情報記録再生装置において、
記録媒体からリンク情報を読出す手段と、
リンク情報が記録されていない記録媒体にコンテンツを記録するとともにリンク情報を記録する手段と、
を具備する情報記録再生装置。
【請求項６】
複数の記録媒体を収納可能で、一つのコンテンツ、連続あるいは関連した複数のコンテンツを複数の記録媒体に跨って記録するにあたり、各記録媒体間のリンク情報を記録する情報記録再生装置において、
収納されている最後の記録媒体にコンテンツを記録した時、コンテンツの未記録部分が残っている場合、ユーザに他の記録媒体を収納部にセットすることを促す手段を具備する情報記録再生装置。
【請求項７】
一つのコンテンツ、連続あるいは関連した複数のコンテンツを跨って記録し、各記録媒体間のリンク情報も記録した複数の記録媒体を収納可能な情報再生装置において、
記録媒体からリンク情報を読出す手段と、
リンク情報に基づいてコンテンツの記録順番に記録媒体を再生する手段と、
を具備する情報再生装置。
【請求項８】
コンテンツの順番に記録媒体を再生する際不足の記録媒体がある場合、ユーザに不足の記録媒体を収納部にセットすることを促す、あるいは不足の記録媒体を飛ばして再生することを確認する手段をさらに具備する請求項７記載の情報再生装置。
【請求項９】
前記リンク情報は、複数の記録媒体に記録されている一つあるいは複数のコンテンツが同一、連続あるいは関連したコンテンツであることを示すグループ名称と、同じグループ名称のコンテンツを記録する複数枚の記録媒体の最後の記録媒体であることを示すエンドコードと、同じグループ名称のコンテンツの記録順を示すディスクナンバーとを含み、
収納されている最後の記録媒体を再生した時、当該記録媒体がエンドコードが記録されていない場合、ユーザに他の記録媒体を収納部にセットすることを促す手段をさらに具備する請求項７記載の情報再生装置。
【請求項１０】
前記リンク情報は、複数の記録媒体に記録されている一つあるいは複数のコンテンツが同一、連続あるいは関連したコンテンツであることを示すグループ名称と、同じグループ名称のコンテンツを記録する複数枚の記録媒体の最後の記録媒体であることを示すエンドコードと、同じグループ名称のコンテンツの記録順を示すディスクナンバーとを含み、
異なるグループ名称の記録媒体が収納されている場合、ユーザにどのグループ名称の記録媒体を再生するかを確認する手段をさらに具備する請求項７記載の情報再生装置。
【発明の詳細な説明】
【技術分野】
【０００１】
本発明は一度に複数のディスク状の記録媒体（光ディスク等）を収納可能であり、一つのコンテンツ、連続した複数のコンテンツ、あるいは関連した複数のコンテンツを複数の記録媒体に跨って記録、再生可能な情報記録再生装置及び情報再生装置に関する。
【背景技術】
【０００２】
近年、ＤＶＤ（Digital Versatile Disk or Digital Video Disk、以下単に光ディスクと称する）等の大容量のディスク状の記録媒体に情報を記録再生できる情報記録再生装置が実用されている。これらの光ディスクには、ＭＰＥＧ（Moving Picture Experts Group）２方式の動画像圧縮技術が用いられ、通常２時間から３時間程度の動画像も１枚の光ディスクに収録可能となっている。
【０００３】
ところで、近年注目されているインタラクティブ番組では、多種多様なストーリー展開を可能とするために、通常の５〜６倍の動画像を収録する必要が生じ、そのためには、複数の光ディスクに跨って１つのコンテンツを収録することになる。または、１つのコンテンツに限らず、連続するテレビ番組等の関連するコンテンツを複数の光ディスクに跨って収録することもある。いずれにしても、現行のＤＶＤのような光ディスクシステムでは、複数の光ディスクに跨って記録を制御する仕組が無いので、複数のメディアに跨って再生を制御する仕組みも無く、複数の光ディスクに跨るコンテンツを効率良く記録再生することができなかった。
【０００４】
従来の番組記録再生装置は、時系列的に連続する番組情報を、複数のボリュームに跨って記録するとともに、番組情報をそれぞれのボリュームに跨って管理するためのボリューム群管理情報を記録する記録手段と、この記録手段で記録されたボリューム群管理情報に基づいて、複数のボリュームにそれぞれ記録された番組情報の再生動作を制御する再生手段とを具備してなり、従来の番組再生装置は、時系列的に連続する番組情報が、複数のボリュームに跨って記録されるとともに、前記番組情報をそれぞれのボリュームに跨って管理するためのボリューム群管理情報が記録されたボリュームを再生する番組再生装置において、前記ボリュームに記録されたボリューム群管理情報に基づいて、前記複数のボリュームにそれぞれ記録された番組情報の再生動作を制御する再生手段を具備してなる（例えば、特許文献１参照）。
【特許文献１】特開２００１−５２４６６号公報（特許請求の範囲）
【発明の開示】
【発明が解決しようとする課題】
【０００５】
このように従来の情報記録再生装置及び情報再生装置には、複数の記録媒体に跨るコンテンツを管理できないという欠点がある。
【０００６】
本発明の目的は複数の記録媒体に跨りコンテンツを記録再生できる情報記録再生装置及び情報再生装置を提供することにある。
【課題を解決するための手段】
【０００７】
本発明の一実施形態によれば、複数の記録媒体を収納可能な情報記録再生装置において、一つのコンテンツ、連続あるいは関連した複数のコンテンツを複数の記録媒体に跨って記録するにあたり、各記録媒体間のリンク情報を記録する手段を具備する。
【０００８】
本発明の他の実施形態によれば、複数の記録媒体を収納可能な収納部を有し、一つのコンテンツ、連続あるいは関連した複数のコンテンツを複数の記録媒体に跨って記録するにあたり、各記録媒体間のリンク情報を記録する情報記録再生装置において、記録媒体からリンク情報を読出す手段と、リンク情報が記録されていない記録媒体にコンテンツを記録するとともにリンク情報を記録する手段と、を具備する。
【０００９】
本発明の別の実施形態によれば、複数の記録媒体を収納可能で、一つのコンテンツ、連続あるいは関連した複数のコンテンツを複数の記録媒体に跨って記録するにあたり、各記録媒体間のリンク情報を記録する情報記録再生装置において、収納されている最後の記録媒体にコンテンツを記録した時、コンテンツの未記録部分が残っている場合、ユーザに他の記録媒体を収納部にセットすることを促す手段を具備する。
【００１０】
本発明のさらに他の実施形態によれば、一つのコンテンツ、連続あるいは関連した複数のコンテンツを跨って記録し、各記録媒体間のリンク情報も記録した複数の記録媒体を収納可能な情報再生装置において、記録媒体からリンク情報を読出す手段と、リンク情報に基づいてコンテンツの記録順番に記録媒体を再生する手段と、
を具備する。
【発明の効果】
【００１１】
以上説明したように本発明によれば、複数の記録媒体に跨りコンテンツを記録再生できる情報記録再生装置及び情報再生装置を提供することができる。
【発明を実施するための最良の形態】
【００１２】
以下、図面を参照して本発明による情報記録再生装置及び情報再生装置の実施の形態を説明する。
【００１３】
第１の実施の形態
図１は本発明の第１の実施の形態に係る情報記録再生装置の構成を示す図である。本発明は情報再生装置にも適用でき、その場合は、記録に関する部分を省略するだけでよい。
【００１４】
情報記録再生装置は、キー操作／表示部４を備えている。使用者がキー操作／表示部４を操作することによって、光ディスク１０から記録データが再生され、あるいは光ディスク１０に記録データが記録される。記録データは、映像データ、副映像データ及び音声データを含み、これらはビデオ信号及びオーディオ信号に変換される。モニタ部６は、ビデオ信号によって映像を表示し、スピーカ部８は、オーディオ信号によって音声を発生する。また、情報記録再生装置は、図１に示されるように、ディスクドライブ部３０、システムＣＰＵ（Central Processing Unit）部５０、パケット分離を行なうシステムプロセッサＡ部５４、再生ビデオバッファ部５９、再生オーディオバッファ部６１、再生ビットマップバッファ部６３、ビデオデコーダ部５８、オーディオデコーダ部６０、ビットマップデコーダ部６２、ビデオＤ／Ａ（Digital／Analogue）部６６、オーディオＤ／Ａ部６８を備えている。さらに、情報記録再生装置は、システムストリーム化を行なうシステムプロセッサＢ部５５、記録ビデオバッファ部２００、記録オーディオバッファ部２０２、記録ビットマップバッファ部２０４、ビデオエンコーダ部２０１、オーディオエンコーダ部２０３、ビットマップエンコーダ部２０５、ビデオＡ／Ｄ（Analogue／Digital）部２０６、オーディオＡ／Ｄ部２０７、セレクタ部２１０、コマンド作成部２０８、合成部６４、入力装置２０９を備えている。
【００１５】
アンテナ３００から入力された放送信号はチューナ３０１で選局され、さらに復調器３０２を介してパケット分離部３０３に供給される。パケット分離部３０３の出力はバッファ５９、６１、６３；デコーダ５８、６０、６２を介してハードディスク装置１００に格納される。ビデオデコーダ５８の出力はＤ／Ａ６６を介してモニタ部６で表示され、オーディオデコーダ６０の出力はＤ／Ａ６８を介してスピーカ部８で再生される。
【００１６】
記録の際は、キー操作／表示部４によって、使用者が記録する対象を選択し、それを受けたシステムＣＰＵ部５０によって、セレクタ部２１０が駆動される。セレクタ部２１０は、システムＣＰＵ部５０からの信号により、記録する信号を選択する。記録する信号の対象としてはパケット分離部３０３の出力を格納するハードディスク装置１００のデータも含まれる。セレクタ部２１０により入力されたアナログビデオ信号及びアナログオーディオ信号は、それぞれ、ビデオＡ／Ｄ部２０６及びオーディオＡ／Ｄ部２０７によってデジタル信号に変換される。デジタルビデオ信号は、ビデオエンコーダ部２０１によりＭＰＥＧ２等の記録用ビデオデータに変換され、記録ビデオバッファ部２００に入力される。デジタルビデオ信号が、既にＭＰＥＧ２等の記録用ビデオデータに変換されている場合には、直接、記録ビデオバッファ部２００に入力される。デジタルオーディオ信号は、オーディオエンコーダ部２０３によりＡＣ−３等の記録用オーディオデータに変換され、記録オーディオバッファ部２０２に入力される。デジタルオーディオ信号が、既にＡＣ−３等の記録用オーディオデータに変換されている場合には、直接、記録オーディオバッファ部２０２に入力される。
【００１７】
副映像やホームページ等のビットマップ情報は、必要に応じてビットマップエンコーダ部２０５で記録用ビットマップデータに変換され、記録ビットマップバッファ部２０４に入力される。デジタル信号のうち、予めＭＰＥＧ２トランスポートストリームやＭＰＥＧ２プログラムストリーム等の形態に変換されているものは、直接、システムプロセッサＢ部５５に入力される。
【００１８】
記録ビデオバッファ部２００、記録オーディオバッファ部２０２及び記録ビットマップバッファ部２０４から出力された各種データは、それぞれシステムプロセッサＢ部５５に供給されてシステムストリーム化され、ディスクドライブ部３０を介して光ディスク１０に記録される。
【００１９】
情報記録再生装置は複数の光ディスクを収納可能で、一つのコンテンツ、連続した複数のコンテンツ、あるいは関連した複数のコンテンツを複数の光ディスクに跨って記録、再生する。そのため、図２〜図７に示すように、光ディスク１０は複数、例えば５枚を円周方向に沿って配列できる円盤状のマルチディスクトレイにセットされる。複数枚のディスクを重ねてセットするオートチェンジャタイプのラックにセットしてもよい。
【００２０】
この実施形態は複数の光ディスクをあたかも１枚の光ディスクと見なして、一つのコンテンツ、連続、あるいは関連した複数のコンテンツを複数の光ディスクに跨って記録、再生する。複数のディスクに跨って記録する際、各ディスク間のリンク情報が付加的に記録される。リンク情報は、ディスクのユーザエリアや、ディスクに取り付けられる無線タグなどに記録される。
【００２１】
リンク情報は複数のディスクに記録されているコンテンツ（同一または複数）が同一または連続、あるいは関連したコンテンツであることを示すグループ名称と、同じグループ名称のコンテンツを記録する複数枚の記録済みディスクの最後のディスクであることを示すエンドコードと、上記複数枚の光ディスクにおける同じグループ名称のコンテンツの記録順を示すディスクナンバーとを含む。
【００２２】
例えば、グループ名称は“０００００１”から“ＦＦＦＦＦＦ”までを順次使用し、エンドコードは“０”（途中）、“１”（最後）、ディスクナンバーは  “０１”から“７Ｅ”までを順次使用する。グループ名称“００００１Ｅ”で８枚の光ディスクに記録する場合、１枚目〜７枚目のディスクのリンク情報は“００００１Ｅ０１”〜“００００１Ｅ０７”となり、８枚目のディスクのリンク情報は“００００１Ｅ８８”となる。例えば２４時間のテレビ番組を記録する場合、番組が終了していない段階では記録に必要な光ディスクの総枚数がわからないので同じグループ名称でエンドコードを“０”（途中）とし、ディスクナンバーを順次増加させながら、録画を進める。録画終了時に、その時録画していた光ディスクのエンドコードを“１”（最後）とする。
【００２３】
このようなリンク情報を光ディスクに記録しておくことにより、５枚収納のマルチディスクトレイを使用して再生中、５枚目のディスクの再生が終了した時点で６枚目の記録済みディスクのセットを要求するかどうかの判断が可能となる。
【００２４】
グループ情報は自動的につける代わりに、録画時間情報、電子番組表情報、あるいは記録装置に固有な番号を利用してもよい。
【００２５】
ディスクナンバーの付け方は、“ディスク１”の記録が終わってから次のディスクに“ディスク２”と付けるモードや、記録する前に全部のディスクにディスクナンバーを付けるモード等、任意に設定可能である。
【００２６】
図２に記録方法の一例を示す。トレイＡ〜トレイＥの５つのトレイを有するマルチトレイディスクの場合、トレイＡ〜トレイＥの順番に記録する。そのため、トレイＡ〜トレイＥに収納されている未記録ディスクがそれぞれ “記録済みディスク１”〜“記録済みディスク５”とされる。
【００２７】
また、ディスク毎ではなく、各層毎に番号を付けてもよい。例えば、片面２層のＤＶＤの場合、１枚のディスクに“ディスク１”、“ディスク２”と付けてもよい。エンドコードは、最後のディスクに対して終了フラッグの有無を任意に設定可能としてもよい。
【００２８】
情報記録再生装置ではグループ名が重複しないように一度使用したグループ名を記録しておく必要があるが，グループ名称を“０００００１”から“ＦＦＦＦＦＦ”まで順次使用するようにすれば、最後に使用したグループ名のみ覚えておけば良い。
【００２９】
図３は記録方法の他の例である。図２の例では、各トレイに収納されているディスクが未記録ディスクか記録済みディスクかに係わり無く、トレイＡ〜トレイＥに収納されているディスクに順番に“記録済みディスク１”〜“記録済みディスク５”とディスクナンバーが割当てられるが、図３の例では各トレイにディスクが存在するか否か、さらに存在する場合はそのディスクが未記録ディスクであるか否かを確認して、各ディスク間のリンク情報を書き込む（ディスクナンバーが割当てられる）。なお、存在するディスクが“記録済みディスク”である場合は、そのディスクをフォーマットしてディスクナンバーをつけるか、そのディスクは飛ばして未記録ディスクだけでディスクナンバーをつけるかの設定は自由である。後者のように“記録済みディスク”は飛ばして未記録ディスクだけにディスクナンバーをつければ、“記録済みディスク”に誤って上書きしてしまうことが防止される。しかし、前者によれば、テレビ録画等のリアルタイムで記録する際、確実に記録できるメリットがある。そのため、これによれば、ユーザにとって使い易い記録装置が提供される。
【００３０】
図示の例では、トレイＡにディスクが存在せず、トレイＢに収納されているディスクが“記録済みディスク”であるので、トレイＣ、トレイＥに収納されている未記録ディスクがそれぞれ“記録済みディスク１”、“記録済みディスク２”とされる。
【００３１】
図４は記録方法の他の例である。図２、図３の例では、コンテンツがトレイにセットされている全未記録ディスクに記録され得るサイズとしたが、図４の（ａ）は記録するコンテンツがトレイにセットされている全ての未記録ディスクには記録され得ない大きいサイズであるとする。すなわち、トレイ上の最後のディスクへの記録が終了した時、コンテンツの未記録部分が残っている場合である。この時は、図４の（ｂ）に示すように、未記録ディスクをトレイに追加セットするよう画面表示、あるいは音による通知がなされる。このため、５枚以上のディスクに記録される大容量のコンテンツでも全てのディスクにリンク情報をつけて記録することができ、ユーザにとって使い易い記録装置が提供される。
【００３２】
図５の（ａ）、（ｂ）、（ｃ）は再生方法の一例である。この再生方法ではディスクからリンク情報を読取り、その中からコンテンツの記録順を示すディスクナンバーを読込み、ディスクの配置とは無関係にディスクナンバーに従った順番で再生する。これによれば、マルチディスクトレイに複数のディスクをセットする際に再生順番を考慮して慎重にセットする必要は無く、無造作にセットするだけでよいので、ユーザにとって使い易い再生装置が提供される。
【００３３】
図６の（ａ）、（ｂ）、（ｃ）は再生方法の他の例である。この再生方法では、図６の（ａ）に示すように、コンテンツのリンク情報を読取り、その中からコンテンツの記録順を示すディスクナンバーを読込み、ディスクの配置とは無関係にディスクナンバーに従った順番で再生する。ただし、ディスクナンバーが不連続の場合（ディスクナンバーに飛びがあった場合）、図６の（ｂ）に示すように、不足のディスク（ここでは“記録済みディスク２”）をトレイに追加セットするよう画面表示、あるいは音による通知がなされる。あるいは、図６の（ｃ）に示すように、不足（欠番）のディスク（ここでは“記録済みディスク２”）をトレイに追加セットするモード、若しくは不足のディスクを飛ばして再生するモードとのいずれかをユーザに選択させるよう画面表示、あるいは音による通知がなされてもよい。
【００３４】
これによれば、マルチディスクトレイに複数のトレイをセットする際に再生順番を考慮して、しかも不足がないかを判断して慎重にセットする必要は無く、無造作にセットするだけでよいので、ユーザにとって使い易い再生装置が提供される。
【００３５】
図７の（ａ）、（ｂ）は再生方法の他の例である。この再生方法では、図７の（ａ）に示すように、トレイに存在するディスクをリンク情報のディスクナンバーに従って順次再生し、最後のディスク（エンドコードが最後）がトレイに存在しない場合、図７の（ｂ）に示すように、再生すべきさらなるディスクをトレイにセットするような画面表示、あるいは音による通知がなされる。なお、追加セットする際、ディスクのコンテンツが不明で、他のディスクを間違ってセットしたとしても、リンク情報を読み取っているので、上記と同様に追加ディスクを要求する通知がなされる。これによれば、マルチディスクトレイの収納枚数以上のディスクに跨って記録されたコンテンツも再生することができる。
【００３６】
図８の（ａ）、（ｂ）は再生方法の他の例である。この再生方法では、図８の（ａ）に示すように、トレイに存在するディスクをリンク情報のディスクナンバーに従って順次再生しようとした時、異なるグループ名称（コンテンツＡとコンテンツＢ）の同一のディスクナンバーが存在した場合、図８の（ｂ）に示すように、いずれのコンテンツを再生するかをユーザに選択させるような画面表示、あるいは音による通知がなされる。これによれば、マルチディスクトレイに複数のディスクをセットする際に同一コンテンツ（同一グループ名称）のディスクのみならず、複数のグループ名称のディスクを混在して一度にセットすることができ、ユーザにとって使い易い再生装置が提供される。
【００３７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３８】
【図１】本発明の情報記録再生装置の一実施形態を示す図。
【図２】本発明の情報記録再生装置の記録方法の一例を示す図。
【図３】本発明の情報記録再生装置の記録方法の他の例を示す図。
【図４】本発明の情報記録再生装置の記録方法の他の例を示す図。
【図５】本発明の情報記録再生装置の再生方法の一例を示す図。
【図６】本発明の情報記録再生装置の再生方法の他の例を示す図。
【図７】本発明の情報記録再生装置の再生方法の他の例を示す図。
【図８】本発明の情報記録再生装置の再生方法の他の例を示す図。
【符号の説明】
【００３９】
４…キー操作／表示部、６…モニタ部、１０…光ディスク、３０…ディスクドライブ、５０…システムＣＰＵ、５８、６０、６２…デコーダ、２０１、２０３、２０５…エンコーダ。
【図１】
2005339734.tif 000003
【図２】
2005339734.tif 000004
【図３】
2005339734.tif 000005
【図４】
2005339734.tif 000006
【図５】
2005339734.tif 000007
【図６】
2005339734.tif 000008
【図７】
2005339734.tif 000009
【図８】
2005339734.tif 000010